【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  少なくとも遊技者を特定可能な遊技者特定情報と該遊技者に関する情報が対応付けて登録された遊技者データベースを有する管理コンピュータと、
前記管理コンピュータとデータ通信可能に接続され、前記遊技者特定情報が記録された記録媒体を受付けて該記録情報の少なくとも読み出しを行う遊技用装置と、
から成る遊技用システムであって、
前記遊技用装置は、前記受付けた記録媒体より読み出した遊技者特定情報を前記管理コンピュータに送信する遊技者特定情報送信手段を備え、
前記管理コンピュータは、
催事の催事対象者となる条件を設定する催事条件設定手段と、
該催事条件設定手段にて設定された催事の催事対象者となる条件を満たしている遊技者の遊技者特定情報を前記遊技者データベースから抽出する抽出手段と、
該抽出手段により抽出した遊技者特定情報を催事対象者の遊技者特定情報であることを特定可能に登録する登録手段と、
前記遊技者特定情報送信手段から送信された遊技者特定情報が前記登録手段により催事対象者の遊技者特定情報であることを特定可能に登録されているか否かに基づいて、該遊技者特定情報から特定される遊技者が催事対象者であるか否かを判定する判定手段と、
該判定手段が催事対象者であると判定した場合に、前記遊技者特定情報から特定される遊技者が催事対象者である旨の情報を出力する情報出力手段と、
を備える、
ことを特徴とする遊技用システム。
【請求項２】  前記遊技用装置は遊技機に対応して設けられているとともに、前記記録媒体には、前記遊技者特定情報とともに、遊技に使用可能な遊技用有価価値の大きさを特定可能な情報が記録されており、前記遊技用装置は、該記録媒体を受付けて該受付けた記録媒体の記録情報により特定される大きさの遊技用有価価値の範囲内における所定の遊技用有価価値の大きさを、対応する遊技機における遊技に使用させるための処理を行う請求項１に記載の遊技用システム。
【請求項３】  前記情報出力手段から出力された情報に基づいて、前記遊技者特定情報から特定される遊技者が催事対象者である旨を報知する催事対象者報知手段を備える請求項１または２に記載の遊技用システム。
【請求項４】  催事対象者報知手段を、前記遊技用装置と別個に備える請求項３に記載の遊技用システム。
【請求項５】  前記管理コンピュータは、前記判定手段にて催事対象者であると判定された遊技者数を集計して出力する請求項１〜４のいずれかに記載の遊技用システム。
【請求項６】  前記管理コンピュータは、前記遊技者データベースに登録された遊技者のうち、前記催事条件設定手段により設定された催事対象者となる条件を満たしている遊技者の総数を集計するとともに、該集計した催事対象者となる条件を満たしている遊技者の総数と、前記集計された判定手段にて催事対象者であると判定された遊技者数と、を対比可能に出力する請求項５に記載の遊技用システム。
【請求項７】  前記遊技用装置は遊技機に対応して設けられており、
前記遊技者特定情報送信手段は、各遊技用装置を特定可能な遊技用装置特定情報を前記遊技者特定情報とともに前記管理コンピュータに送信するとともに、
該管理コンピュータは、前記遊技用装置から送信された遊技者特定情報から特定される遊技者が催事対象者であると判定した場合に、前記遊技者特定情報とともに送信された遊技用装置特定情報により特定される遊技用装置を識別可能に出力する請求項１〜６のいずれかに記載の遊技用システム。
【手続補正２】
【補正対象書類名】明細書
【補正対象項目名】０００５
【補正方法】変更
【補正の内容】
【０００５】
【課題を解決するための手段】
前記した問題を解決するために、本発明の遊技用システムは、
少なくとも遊技者を特定可能な遊技者特定情報と該遊技者に関する情報が対応付けて登録された遊技者データベースを有する管理コンピュータと、
前記管理コンピュータとデータ通信可能に接続され、前記遊技者特定情報が記録された記録媒体を受付けて該記録情報の少なくとも読み出しを行う遊技用装置と、
から成る遊技用システムであって、
前記遊技用装置は、前記受付けた記録媒体より読み出した遊技者特定情報を前記管理コンピュータに送信する遊技者特定情報送信手段を備え、
前記管理コンピュータは、
催事の催事対象者となる条件を設定する催事条件設定手段と、
該催事条件設定手段にて設定された催事の催事対象者となる条件を満たしている遊技者の遊技者特定情報を前記遊技者データベースから抽出する抽出手段と、
該抽出手段により抽出した遊技者特定情報を催事対象者の遊技者特定情報であることを特定可能に登録する登録手段と、
前記遊技者特定情報送信手段から送信された遊技者特定情報が前記登録手段により催事対象者の遊技者特定情報であることを特定可能に登録されているか否かに基づいて、該遊技者特定情報から特定される遊技者が催事対象者であるか否かを判定する判定手段と、
該判定手段が催事対象者であると判定した場合に、前記遊技者特定情報から特定される遊技者が催事対象者である旨の情報を出力する情報出力手段と、
を備える、
ことを特徴としている。
この特徴によれば、遊技者が所有している記録媒体が遊技用装置に受付けられることで、該遊技者が催事の対象者となる条件を満たしているかが管理コンピュータにて判定され、催事の対象者である場合には、その旨が出力されるようになるため、遊技者や遊技場の係員等が催事の対象者であるか否かを簡便に確認することが可能となり、催事の対象者であるか否かの確認に要する労力を軽減できるばかりか、これら確認に要する時間も短縮できる。
【手続補正３】
【補正対象書類名】明細書
【補正対象項目名】０００９
【補正方法】変更
【補正の内容】
【０００９】
本発明の遊技用システムの前記管理コンピュータは、前記判定手段にて催事対象者であると判定された遊技者数を集計して出力することが好ましい。
このようにすれば、遊技場に来場して催事対象者となった遊技者数を簡便に把握できる。
【手続補正４】
【補正対象書類名】明細書
【補正対象項目名】００１０
【補正方法】変更
【補正の内容】
【００１０】
本発明の遊技用システムの前記管理コンピュータは、前記遊技者データベースに登録された遊技者のうち、前記催事条件設定手段により設定された催事対象者となる条件を満たしている遊技者の総数を集計するとともに、該集計した催事対象者となる条件を満たしている遊技者の総数と、前記集計された判定手段にて催事対象者であると判定された遊技者数と、を対比可能に出力することが好ましい。
このようにすれば、催事対象者の条件を満たす遊技者の総数と、遊技場に来場して催事対象者となった遊技者数と、を対比して把握できる。
【手続補正５】
【補正対象書類名】明細書
【補正対象項目名】００１１
【補正方法】変更
【補正の内容】
【００１１】
本発明の遊技用システムの前記遊技用装置は遊技機に対応して設けられており、
前記遊技者特定情報送信手段は、各遊技用装置を特定可能な遊技用装置特定情報を前記遊技者特定情報とともに前記管理コンピュータに送信するとともに、
該管理コンピュータは、前記遊技用装置から送信された遊技者特定情報から特定される遊技者が催事対象者であると判定した場合に、前記遊技者特定情報とともに送信された遊技用装置特定情報により特定される遊技用装置を識別可能に出力することが好ましい。
このようにすれば、催事対象者としての遊技者が遊技を行っている遊技機に対応する遊技用装置を容易に把握できる。